【手続補正書】
【提出日】平成18年3月24日(2006.3.24)
【手続補正１】
【補正対象書類名】明細書
【補正対象項目名】特許請求の範囲
【補正方法】変更
【補正の内容】
【特許請求の範囲】
【請求項１】  駐車場内の車両の駐車状況を管理する駐車状況管理装置であって、
駐車場内の空き駐車位置を取得する取得手段と、
前記駐車場の駐車位置と、車路と、自動車の入退場口の位置を示す駐車場の地図情報と、前記取得された空き駐車位置を示す情報とを車載誘導装置へ送信する送信手段とを備え、
前記送信手段は、人の出入口の位置を含む駐車場の地図情報を送信することを特徴とする駐車状況管理装置。
【請求項２】  駐車場内の車両の駐車状況を管理する駐車状況管理装置であって、
駐車場内の空き駐車位置を取得する取得手段と、
前記駐車場の駐車位置と、車路と、自動車の入退場口の位置を示す駐車場の地図情報と、前記取得された空き駐車位置を示す情報とを車載誘導装置へ送信する送信手段とを備え、
前記送信手段は、前記空き駐車位置に駐車できる車両の種類を示す情報をも送信することを特徴とする駐車状況管理装置。
【請求項３】  駐車場内の車両の駐車状況を管理する駐車状況管理装置であって、
車載誘導装置から車両の種類を示す車両情報を受信する手段と、
駐車場内の空き駐車位置を、その空き駐車位置に駐車できる車両の種類を示す情報とともに取得する手段と、
前記受信した車両情報と、前記空き駐車位置に駐車できる車両の種類を示す情報とに基いて、その車両が駐車できる駐車位置を特定する手段と、
前記特定した駐車位置を有する駐車場の地図情報と、前記特定した駐車位置を示す情報とを車載誘導装置へ送信する送信手段とを備えたことを特徴とする駐車状況管理装置。
【請求項４】  駐車状況管理装置から車両の駐車状況を受信する車載誘導装置であって、
駐車場の地図情報と空き駐車位置を示す情報とを受信する受信手段と、
前記受信した駐車場の地図情報と、前記空き駐車位を示す情報より、空き駐車位置を明示した駐車場の地図を表示する表示手段とを備え、
前記駐車場の地図情報は、駐車場内の車路及び車両の入退場口の位置を含み、
自車両の絶対位置情報又は相対位置情報を取得する手段と、
前記絶対位置情報又は相対位置情報と、前記駐車場の地図情報を参照して、自車両の駐車場内における現在位置を認識する位置認識手段と、
前記駐車場の地図に基づいて、前記取得した現在位置から前記空き駐車位置までの経路又は、前記取得した現在位置から退場口までの経路を生成する経路生成手段とをさらに備え、
前記表示手段は、前記生成された経路をも表示し、
前記受信手段は、人の出入口の位置を含む駐車場の地図情報を受信し、
ユーザ操作に従って、目的地指定を入力する入力手段と、
前記駐車場の地図情報に基いて、前記空き駐車位置のうち、前記目的地と人の出入り口の位置とに応じて、１つの空き駐車位置を特定する手段とをさらに備え、
前記表示手段は、前記特定された空き駐車位置を表示することを特徴とする車載誘導装置。
【請求項５】  駐車状況管理装置から車両の駐車状況を受信する車載誘導装置であって、
駐車場の地図情報と空き駐車位置を示す情報とを受信する受信手段と、
前記受信した駐車場の地図情報と、前記空き駐車位を示す情報より、空き駐車位置を明示した駐車場の地図を表示する表示手段とを備え、
前記駐車場の地図情報は、駐車場内の車路及び車両の入退場口の位置を含み、
自車両の絶対位置情報又は相対位置情報を取得する手段と、
前記絶対位置情報又は相対位置情報と、前記駐車場の地図情報を参照して、自車両の駐車場内における現在位置を認識する位置認識手段と、
前記駐車場の地図に基づいて、前記取得した現在位置から前記空き駐車位置までの経路又は、前記取得した現在位置から退場口までの経路を生成する経路生成手段とをさらに備え、
前記表示手段は、前記生成された経路をも表示し、
前記受信手段は、前記空き駐車位置に駐車できる車両の種類を示す情報をも受信し、
自車両の種類を示す車両情報を記憶する車両情報記憶手段と、
前記車両情報と、前記空き駐車位置に駐車できる車両の種類を示す情報とに基いて、前記空き駐車位置のうちで、自車両が駐車できる駐車位置を特定する手段とを備え、
前記表示手段は、前記特定された空き駐車位置を表示することを特徴とする車載誘導装置。
【請求項６】  前記車両の種類を示す情報は、車両の大きさの情報であり、
前記特定手段は、前記空き駐車位置のうちで、車両の大きさに従って駐車位置を特定することを特徴とする請求項５記載の車載誘導装置。
【請求項７】  前記車両の種類を示す情報は、車両が電気自動車か否かの情報であり、
前記特定手段は、前記空き駐車位置のうちで、車両が電気自動車か否かの情報に従って、駐車位置を特定することを特徴とする請求項５記載の車載誘導装置。
【請求項８】  コンピュータ読み取り可能な記録媒体であって、
駐車場内の車両の駐車状況を管理する駐車状況管理装置のコンピュータに、
駐車場内の空き駐車位置を取得する取得ステップと、
前記駐車場の駐車位置と、車路と、自動車の入退場口の位置を示す駐車場の地図情報と、前記取得された空き駐車位置を示す情報とを車載誘導装置へ送信する送信ステップとを有し、
前記送信ステップは、前記空き駐車位置に駐車できる車両の種類を示す情報をも送信することを実行するためのプログラムを記録したコンピュータ読み取り可能な記録媒体。
【請求項９】  コンピュータ読み取り可能な記録媒体であって、
駐車状況管理装置から車両の駐車状況を受信する車載誘導装置のコンピュータに、
駐車場の地図情報と空き駐車位置を示す情報とを受信する受信ステップと、
前記受信した駐車場の地図情報と、前記空き駐車位を示す情報より、空き駐車位置を明示した駐車場の地図を表示する表示ステップとを有し、
前記駐車場の地図情報は、駐車場内の車路及び車両の入退場口の位置を含み、
自車両の絶対位置情報又は相対位置情報を取得するステップと、
前記絶対位置情報又は相対位置情報と、前記駐車場の地図情報を参照して、自車両の駐車場内における現在位置を認識する位置認識ステップと、
前記駐車場の地図に基づいて、前記取得した現在位置から前記空き駐車位置までの経路又は、前記取得した現在位置から退場口までの経路を生成する経路生成ステップとをさらに有し、
前記表示ステップは、前記生成された経路をも表示し、
前記受信ステップは、前記空き駐車位置に駐車できる車両の種類を示す情報をも受信し、
自車両の種類を示す車両情報を記憶する車両情報記憶ステップと、
前記車両情報と、前記空き駐車位置に駐車できる車両の種類を示す情報とに基いて、前記空き駐車位置のうちで、自車両が駐車できる駐車位置を特定するステップとを有し、
前記表示ステップは、前記特定された空き駐車位置を表示することを実行させるためのプログラムを記録したコンピュータ読み取り可能な記録媒体。
【手続補正２】
【補正対象書類名】明細書
【補正対象項目名】０００８
【補正方法】変更
【補正の内容】
【０００８】
【課題を解決するための手段】
上記目的を達成するために、本発明は、駐車場内の車両の駐車状況を管理する駐車状況管理装置であって、駐車場内の空き駐車位置を取得する取得手段と、前記駐車場の駐車位置と、車路と、自動車の入退場口の位置を示す駐車場の地図情報と、前記取得された空き駐車位置を示す情報とを車載誘導装置へ送信する送信手段とを備え、前記送信手段は、人の出入口の位置を含む駐車場の地図情報を送信することとしている。
【手続補正３】
【補正対象書類名】明細書
【補正対象項目名】０００９
【補正方法】変更
【補正の内容】
【０００９】
また、本発明は、  駐車状況管理装置から車両の駐車状況を受信する車載誘導装置であって、駐車場の地図情報と空き駐車位置を示す情報とを受信する受信手段と、前記受信した駐車場の地図情報と、前記空き駐車位を示す情報より、空き駐車位置を明示した駐車場の地図を表示する表示手段とを備え、前記駐車場の地図情報は、駐車場内の車路及び車両の入退場口の位置を含み、自車両の絶対位置情報又は相対位置情報を取得する手段と、  前記絶対位置情報又は相対位置情報と、前記駐車場の地図情報を参照して、自車両の駐車場内における現在位置を認識する位置認識手段と、前記駐車場の地図に基づいて、前記取得した現在位置から前記空き駐車位置までの経路又は、前記取得した現在位置から退場口までの経路を生成する経路生成手段とをさらに備え、前記表示手段は、前記生成された経路をも表示し、前記受信手段は、人の出入口の位置を含む駐車場の地図情報を受信し、ユーザ操作に従って、目的地指定を入力する入力手段と、前記駐車場の地図情報に基いて、前記空き駐車位置のうち、前記目的地と人の出入り口の位置とに応じて、１つの空き駐車位置を特定する手段とをさらに備え、前記表示手段は、前記特定された空き駐車位置を表示することとしている。
また、本発明は、駐車場内の車両の駐車状況を管理する駐車状況管理装置であって、車載誘導装置から車両の種類を示す車両情報を受信する手段と、駐車場内の空き駐車位置を、その空き駐車位置に駐車できる車両の種類を示す情報とともに取得する手段と、前記受信した車両情報と、前記空き駐車位置に駐車できる車両の種類を示す情報とに基いて、その車両が駐車できる駐車位置を特定する手段と、前記特定した駐車位置を有する駐車場の地図情報と、前記特定した駐車位置を示す情報とを車載誘導装置へ送信する送信手段とを備える。
【手続補正４】
【補正対象書類名】明細書
【補正対象項目名】００１０
【補正方法】削除
【補正の内容】
【手続補正５】
【補正対象書類名】明細書
【補正対象項目名】００７８
【補正方法】変更
【補正の内容】
【００７８】
【発明の効果】
以上の説明から明らかなように、本発明は、駐車場内の車両の駐車状況を管理する駐車状況管理装置であって、駐車場内の空き駐車位置を取得する取得手段と、前記駐車場の駐車位置と、車路と、自動車の入退場口の位置を示す駐車場の地図情報と、前記取得された空き駐車位置を示す情報とを車載誘導装置へ送信する送信手段とを備え、前記送信手段は、人の出入口の位置を含む駐車場の地図情報を送信することとしている。
【手続補正６】
【補正対象書類名】明細書
【補正対象項目名】００７９
【補正方法】変更
【補正の内容】
【００７９】
これにより、駐車場管理センターから、自動車へ駐車場の地図と、その空き位置が送信されるので、ドライバーは、駐車可能な空き位置を知ることができ、駐車管理センターから、自動車へは、駐車場内の地理だけでなく、駐車場周辺の施設や店舗の地理も含んだ地図が自動車へ送られるので、自動車では、駐車場の駐車位置と、周辺施設等との相対的な位置関係を把握することができる。
また、駐車場内の車両の駐車状況を管理する駐車状況管理装置であって、駐車場内の空き駐車位置を取得する取得手段と、前記駐車場の駐車位置と、車路と、自動車の入退場口の位置を示す駐車場の地図情報と、前記取得された空き駐車位置を示す情報とを車載誘導装置へ送信する送信手段とを備え、前記送信手段は、前記空き駐車位置に駐車できる車両の種類を示す情報をも送信することとしている。
これにより、駐車場管理センターから、自動車へ駐車場の地図と、その空き位置が送信されるので、ドライバーは、駐車可能な空き位置を知ることができ、駐車管理センターから、自動車へは、空き駐車位置だけでなく、その駐車位置の種類もが自動車へ送られるので、ドライバーは、駐車場の空き駐車位置の種類を把握することができる。
【手続補正７】
【補正対象書類名】明細書
【補正対象項目名】００８０
【補正方法】変更
【補正の内容】
【００８０】
また、本発明は、駐車場内の車両の駐車状況を管理する駐車状況管理装置であって、車載誘導装置から車両の種類を示す車両情報を受信する手段と、駐車場内の空き駐車位置を、その空き駐車位置に駐車できる車両の種類を示す情報とともに取得する手段と、前記受信した車両情報と、前記空き駐車位置に駐車できる車両の種類を示す情報とに基いて、その車両が駐車できる駐車位置を特定する手段と、前記特定した駐車位置を有する駐車場の地図情報と、前記特定した駐車位置を示す情報とを車載誘導装置へ送信する送信手段とを備えたこととしている。
これにより、駐車管理センターは、空き駐車位置のうちで、駐車場探索要求のあった車両の種類に応じて、その車両に適合する空き駐車位置を特定して、自動車にその空き駐車位置を通知するので、ドライバーは、自車が確実に駐車できる駐車位置を知ることができる。
【手続補正８】
【補正対象書類名】明細書
【補正対象項目名】００８１
【補正方法】削除
【補正の内容】
【手続補正９】
【補正対象書類名】明細書
【補正対象項目名】００８２
【補正方法】削除
【補正の内容】
【手続補正１０】
【補正対象書類名】明細書
【補正対象項目名】００８３
【補正方法】削除
【補正の内容】
【手続補正１１】
【補正対象書類名】明細書
【補正対象項目名】００８４
【補正方法】削除
【補正の内容】
【手続補正１２】
【補正対象書類名】明細書
【補正対象項目名】００８５
【補正方法】変更
【補正の内容】
【００８５】
また、本発明は、駐車状況管理装置から車両の駐車状況を受信する車載誘導装置であって、駐車場の地図情報と空き駐車位置を示す情報とを受信する受信手段と、前記受信した駐車場の地図情報と、前記空き駐車位を示す情報より、空き駐車位置を明示した駐車場の地図を表示する表示手段とを備え、前記駐車場の地図情報は、駐車場内の車路及び車両の入退場口の位置を含み、自車両の絶対位置情報又は相対位置情報を取得する手段と、前記絶対位置情報又は相対位置情報と、前記駐車場の地図情報を参照して、自車両の駐車場内における現在位置を認識する位置認識手段と、前記駐車場の地図に基づいて、前記取得した現在位置から前記空き駐車位置までの経路又は、前記取得した現在位置から退場口までの経路を生成する経路生成手段とをさらに備え、前記表示手段は、前記生成された経路をも表示し、前記受信手段は、人の出入口の位置を含む駐車場の地図情報を受信し、ユーザ操作に従って、目的地指定を入力する入力手段と、前記駐車場の地図情報に基いて、前記空き駐車位置のうち、前記目的地と人の出入り口の位置とに応じて、１つの空き駐車位置を特定する手段とをさらに備え、前記表示手段は、前記特定された空き駐車位置を表示することとしている。
これにより、空き駐車位置のうちで、駐車すべき時刻に空いている駐車位置を特定できるので、ドライバーは、現在位置と目的地が離れていて、目的地へ到着するまでに時間を要する場合にでも、目的地に到着する時刻に空いている駐車位置を知ることができ、駐車場の地図と、その空き位置が車内の表示装置に表示されるので、ドライバーは、駐車場に到着する前に、駐車場内における駐車可能な空き位置を前もって把握することができ、駐車時において、駐車場内の地図と、現在位置から空き駐車位置までの経路が表示され、退場時において、駐車場内の地図と、現在位置から退場口までの経路が表示されるので、自動車の駐車と、退場がスムーズに行なわれ、ドライバーに便利であるとともに、駐車場内での渋滞を防止して、駐車場の利用効率を上げることもできる。
【手続補正１３】
【補正対象書類名】明細書
【補正対象項目名】００８６
【補正方法】削除
【補正の内容】
【手続補正１４】
【補正対象書類名】明細書
【補正対象項目名】００８７
【補正方法】変更
【補正の内容】
【００８７】
また、本発明は、駐車状況管理装置から車両の駐車状況を受信する車載誘導装置であって、駐車場の地図情報と空き駐車位置を示す情報とを受信する受信手段と、前記受信した駐車場の地図情報と、前記空き駐車位を示す情報より、空き駐車位置を明示した駐車場の地図を表示する表示手段とを備え、前記駐車場の地図情報は、駐車場内の車路及び車両の入退場口の位置を含み、自車両の絶対位置情報又は相対位置情報を取得する手段と、前記絶対位置情報又は相対位置情報と、前記駐車場の地図情報を参照して、自車両の駐車場内における現在位置を認識する位置認識手段と、前記駐車場の地図に基づいて、前記取得した現在位置から前記空き駐車位置までの経路又は、前記取得した現在位置から退場口までの経路を生成する経路生成手段とをさらに備え、前記表示手段は、前記生成された経路をも表示し、前記受信手段は、前記空き駐車位置に駐車できる車両の種類を示す情報をも受信し、自車両の種類を示す車両情報を記憶する車両情報記憶手段と、前記車両情報と、前記空き駐車位置に駐車できる車両の種類を示す情報とに基いて、前記空き駐車位置のうちで、自車両が駐車できる駐車位置を特定する手段とを備え、前記表示手段は、前記特定された空き駐車位置を表示することとしている。
【手続補正１５】
【補正対象書類名】明細書
【補正対象項目名】００８８
【補正方法】変更
【補正の内容】
【００８８】
これにより、空き駐車位置のうちで、駐車すべき時刻に空いている駐車位置を特定できるので、ドライバーは、現在位置と目的地が離れていて、目的地へ到着するまでに時間を要する場合にでも、目的地に到着する時刻に空いている駐車位置を知ることができ、駐車場の地図と、その空き位置が車内の表示装置に表示されるので、ドライバーは、駐車場に到着する前に、駐車場内における駐車可能な空き位置を前もって把握することができ、空き駐車位置のうちで、自車の種類と適合するような駐車位置を特定できるので、ドライバーは、駐車場へ到着する前に、自車が確実に駐車可能な駐車位置を知ることができ、駐車場に到着後にはじめて自車が駐車できないことを知って、再び駐車場を探索しなければならないような煩わしさを排除できる。
【手続補正１６】
【補正対象書類名】明細書
【補正対象項目名】００９１
【補正方法】削除
【補正の内容】
【手続補正１７】
【補正対象書類名】明細書
【補正対象項目名】００９２
【補正方法】削除
【補正の内容】
【手続補正１８】
【補正対象書類名】明細書
【補正対象項目名】００９３
【補正方法】削除
【補正の内容】
【手続補正１９】
【補正対象書類名】明細書
【補正対象項目名】００９４
【補正方法】削除
【補正の内容】
【手続補正２０】
【補正対象書類名】明細書
【補正対象項目名】００９５
【補正方法】削除
【補正の内容】
【手続補正２１】
【補正対象書類名】明細書
【補正対象項目名】００９６
【補正方法】削除
【補正の内容】
【手続補正２２】
【補正対象書類名】明細書
【補正対象項目名】００９７
【補正方法】削除
【補正の内容】
【手続補正２３】
【補正対象書類名】明細書
【補正対象項目名】００９８
【補正方法】削除
【補正の内容】
【手続補正２４】
【補正対象書類名】明細書
【補正対象項目名】００９９
【補正方法】削除
【補正の内容】
【手続補正２５】
【補正対象書類名】明細書
【補正対象項目名】０１００
【補正方法】削除
【補正の内容】
【手続補正２６】
【補正対象書類名】明細書
【補正対象項目名】０１０１
【補正方法】削除
【補正の内容】
【手続補正２７】
【補正対象書類名】明細書
【補正対象項目名】０１０２
【補正方法】削除
【補正の内容】
【手続補正２８】
【補正対象書類名】明細書
【補正対象項目名】０１０３
【補正方法】変更
【補正の内容】
【０１０３】
また、本発明は、コンピュータ読み取り可能な記録媒体であって、駐車場内の車両の駐車状況を管理する駐車状況管理装置のコンピュータに、駐車場内の空き駐車位置を取得する取得ステップと、前記駐車場の駐車位置と、車路と、自動車の入退場口の位置を示す駐車場の地図情報と、前記取得された空き駐車位置を示す情報とを車載誘導装置へ送信する送信ステップとを有し、前記送信ステップは、前記空き駐車位置に駐車できる車両の種類を示す情報をも送信することを実行するためのプログラムを記録したコンピュータ読み取り可能な記録媒体としている。
このような記録媒体を駐車状況管理装置に適用することによって、駐車場管理センターから、自動車へ駐車場の地図と、その空き位置が送信されるので、ドライバーは、駐車可能な空き位置を知ることができ、駐車管理センターから、自動車へは、空き駐車位置だけでなく、その駐車位置の種類もが自動車へ送られるので、ドライバーは、駐車場の空き駐車位置の種類を把握することができる。
【手続補正２９】
【補正対象書類名】明細書
【補正対象項目名】０１０４
【補正方法】変更
【補正の内容】
【０１０４】
更に、本発明は、コンピュータ読み取り可能な記録媒体であって、駐車状況管理装置から車両の駐車状況を受信する車載誘導装置のコンピュータに、駐車場の地図情報と空き駐車位置を示す情報とを受信する受信ステップと、前記受信した駐車場の地図情報と、前記空き駐車位を示す情報より、空き駐車位置を明示した駐車場の地図を表示する表示ステップとを有し、前記駐車場の地図情報は、駐車場内の車路及び車両の入退場口の位置を含み、  自車両の絶対位置情報又は相対位置情報を取得するステップと、前記絶対位置情報又は相対位置情報と、前記駐車場の地図情報を参照して、自車両の駐車場内における現在位置を認識する位置認識ステップと、前記駐車場の地図に基づいて、前記取得した現在位置から前記空き駐車位置までの経路又は、前記取得した現在位置から退場口までの経路を生成する経路生成ステップとをさらに有し、前記表示ステップは、前記生成された経路をも表示し、前記受信ステップは、前記空き駐車位置に駐車できる車両の種類を示す情報をも受信し、自車両の種類を示す車両情報を記憶する車両情報記憶ステップと、前記車両情報と、前記空き駐車位置に駐車できる車両の種類を示す情報とに基いて、前記空き駐車位置のうちで、自車両が駐車できる駐車位置を特定するステップとを有し、前記表示ステップは、前記特定された空き駐車位置を表示することを実行させるためのプログラムを記録したコンピュータ読み取り可能な記録媒体としている。
これによって、プログラムは、ＣＤ−ＲＯＭ等の記録媒体に格納して配付、流通することができる。この記録媒体を車載誘導装置に適用することによって、空き駐車位置のうちで、駐車すべき時刻に空いている駐車位置を特定できるので、ドライバーは、現在位置と目的地が離れていて、目的地へ到着するまでに時間を要する場合にでも、目的地に到着する時刻に空いている駐車位置を知ることができ、駐車場の地図と、その空き位置が車内の表示装置に表示されるので、ドライバーは、駐車場に到着する前に、駐車場内における駐車可能な空き位置を前もって把握することができ、空き駐車位置のうちで、自車の種類と適合するような駐車位置を特定できるので、ドライバーは、駐車場へ到着する前に、自車が確実に駐車可能な駐車位置を知ることができ、駐車場に到着後にはじめて自車が駐車できないことを知って、再び駐車場を探索しなければならないような煩わしさを排除できる。